(57)【要約】【課題】  表示部品を基板上の所定位置に迅速容易に位置決めすること。【解決手段】  表示部品１を基板２上の所定位置に位置決めし、該表示部品１の下面に一列状に配列した多数の端子１ａの先端を基板２の配線パターン４に半田付け５するようにした表示部品取付装置において、前記基板２の端縁２ａに多数の細溝７が形成され、前記表示部品１の横幅Ｌと略同一長さの横バー９ａと、該横バー９ａの両端から直角に折れ曲がる左右一対のアーム９ｂとからなる平面視略コ字状のホルダ９を有しており、該ホルダ９を表示部品１の下面に当接させて横バー９ａを各端子１ａの前面に当接させ、そのホルダ９及び表示部品１を一体的に動かして各端子１ａを各細溝７内に挿入すると共に、ホルダ９を基板２に係止し、その各端子１ａの先端を基板２の配線パターン４に半田付け５する。【選択図】        図１
2006303133.tif 000002
【特許請求の範囲】
【請求項１】
表示部品の下面に一列状に配列した多数の端子を基板の各端子孔に挿通し、その各端子
の先端を基板の配線パターンに半田付けするようにした表示部品取付装置において、前記
基板の端縁に、各端子孔に達する多数の細溝が形成され、前記表示部品の横幅と略同一長
さの横バーと、該横バーの両端から直角に折れ曲がる左右一対のアームとからなる平面視
略コ字状のホルダを有し、前記各アームの先端に脚部が一体突設されると共に、該各脚部
に対向して基板に一対の係合孔が貫設され、前記各脚部に係合孔の周縁に係合可能な係止
片が一体突設されると共に、横バーに基板の端縁に係合可能な係止片が一体突設されてお
り、ホルダを表示部品の下面に当接させることにより横バーを各端子の前面に当接させ、
そのホルダ及び表示部品を一体的に動かして各端子を各細溝内に挿入し、各脚部を各係合
孔に嵌入させることにより表示部品をホルダを介して基板上に載置し、ホルダ及び表示部
品を基板に沿って一体的に動かして、各端子を各端子孔に挿入すると共に、各係止片を各
係合孔の周縁と基板の端縁とにそれぞれ係合させ、その各端子の先端を基板の配線パター
ンに半田付けするようにしたことを特徴とする表示部品取付装置。
【請求項２】
表示部品の下面に一列状に配列した多数の端子を基板の各端子孔に挿通し、その各端子
の先端を基板の配線パターンに半田付けするようにした表示部品取付装置において、前記
基板の端縁に、各端子孔を一体に連通させる凹部が形成され、前記表示部品の横幅と略同
一長さの横バーと、該横バーの両端から直角に折れ曲がる左右一対のアームとからなる平
面視略コ字状のホルダを有し、前記各アームの先端に脚部が一体突設されると共に、該各
脚部に対向して基板に一対の係合孔が貫設され、前記各脚部に係合孔の周縁に係合可能な
係止片が一体突設されると共に、横バーに基板の端縁に係合可能な係止片が一体突設され
、前記横バーの後面に所定間隔をおいて多数の凹溝が形成されており、ホルダを表示部品
の下面に当接させることにより横バーの各凹溝を各端子に嵌合させ、そのホルダ及び表示
部品を一体的に動かして各端子を凹部内に挿入し、各脚部を各係合孔に嵌入させることに
より表示部品をホルダを介して基板上に載置し、ホルダ及び表示部品を基板に沿って一体
的に動かして、各端子を凹部内の所定位置に位置決めし、各係止片を各係合孔の周縁と基
板の端縁とにそれぞれ係合させ、その各端子の先端を基板の配線パターンに半田付けする
ようにしたことを特徴とする表示部品取付装置。
【請求項３】
表示部品を基板上の所定位置に位置決めし、該表示部品の下面に一列状に配列した多数
の端子の先端を基板の配線パターンに半田付けするようにした表示部品取付装置において
、前記基板の端縁に多数の細溝が形成され、前記表示部品の横幅と略同一長さの横バーと
、該横バーの両端から直角に折れ曲がる左右一対のアームとからなる平面視略コ字状のホ
ルダを有しており、該ホルダを表示部品の下面に当接させることにより横バーを各端子の
前面に当接させ、そのホルダ及び表示部品を一体的に動かして各端子を各細溝内に挿入す
ると共に、ホルダを基板に係止し、その各端子の先端を基板の配線パターンに半田付けす
るようにしたことを特徴とする表示部品取付装置。
【請求項４】
表示部品を基板上の所定位置に位置決めし、該表示部品の下面に一列状に配列した多数
の端子の先端を基板の配線パターンに半田付けするようにした表示部品取付装置において
、前記基板の端縁に各端子を挿入するための凹部が形成され、前記表示部品の横幅と略同
一長さの横バーと、該横バーの両端から直角に折れ曲がる左右一対のアームとからなる平
面視略コ字状のホルダを有し、前記横バーの後面に所定間隔をおいて多数の凹溝が形成さ
れており、ホルダを表示部品の下面に当接させることにより横バーの各凹溝を各端子に嵌
合させ、そのホルダ及び表示部品を一体的に動かして各端子を凹部内に挿入すると共に、
ホルダを基板に係止し、その各端子の先端を基板の配線パターンに半田付けするようにし
たことを特徴とする表示部品取付装置。
【請求項５】
前記各アームの先端に脚部が一体突設されると共に、該各脚部に対向して基板に一対の
係合孔が貫設され、前記各脚部に係合孔の周縁に係合可能な係止片が一体突設されており
、各脚部を各係合孔に嵌入させることにより表示部品をホルダを介して基板上に載置し、
ホルダ及び表示部品を基板に沿って一体的に動かして、各係止片を各係合孔の周縁に係合
させるようにしたことを特徴とする請求項３または４に記載の表示部品取付装置。
【請求項６】
前記横バーに基板の端縁に係合可能な係止片が一体突設されており、各脚部を各係合孔
に嵌入させることにより表示部品をホルダを介して基板上に載置し、ホルダ及び表示部品
を基板に沿って一体的に動かして、各係止片を各係合孔の周縁と基板の端縁とにそれぞれ
係合させるようにしたことを特徴とする請求項５に記載の表示部品取付装置。
【発明の詳細な説明】
【技術分野】
【０００１】
本発明は、例えばＤＶＤプレーヤなどの電子機器に使用される蛍光表示管や液晶パネル
などの表示部品を基板に取り付けるための表示部品取付装置に関する。
【背景技術】
【０００２】
従来、表示部品取付装置の一例として図７に示すものがある。これは、蛍光表示管や液
晶パネルなどの表示部品１の下面に一列状に配列した多数の端子１ａを上方から基板２の
各端子孔３に挿通し、該基板２の下面をディップ槽に漬けて、その各端子１ａの先端を基
板２の配線パターン４に半田付け５する。なお、６は表示部品１と基板２との間に介在さ
せたスペーサである。
【０００３】
上記構成によれば、各端子１ａが細長で曲がりやすく、その本数が図示するよりも多い
ため（例えば２６本）、該各端子１ａの先端が各端子孔３に挿入する際に基板２の上面に
当たって曲げられることがあり、その各端子１ａを各端子孔３にスムーズに挿入すること
が困難である。
【０００４】
上記難点を解消する技術として特許文献１に記載したものがある。これは、図８に示す
ように、基板２の端縁２ａに、各端子孔３に達する多数の細溝７が形成されており、表示
部品１を基板２と平行に動かして各端子１ａを側方から各細溝７内に挿入する。
【特許文献１】特開昭５９−１５２６８７号公報
【発明の開示】
【発明が解決しようとする課題】
【０００５】
上記従来の構成では、各端子１ａを側方から各細溝７内に挿入するようになっているた
め、該各端子１ａを上方から端子孔３に挿入する場合（図７参照）に比べて、その挿入操
作が容易であるが、各端子１ａが側方から各細溝７内に挿入する際に基板２の端縁２ａに
接触して曲げられることがあり、その曲がった端子を指部で細溝７内に押し込むのに手間
がかかって面倒である。このため、表示部品１を基板２上の所定位置に位置決めするのに
も手間と時間とがかかる。
【０００６】
本発明は、上記従来の欠点に鑑み、表示部品を基板上の所定位置に迅速容易に位置決め
できるようにした表示部品取付装置を提供することを目的としている。
【課題を解決するための手段】
【０００７】
上記目的を達成するため、請求項１に記載の発明は、表示部品の下面に一列状に配列し
た多数の端子を基板の各端子孔に挿通し、その各端子の先端を基板の配線パターンに半田
付けするようにした表示部品取付装置において、前記基板の端縁に、各端子孔に達する多
数の細溝が形成され、前記表示部品の横幅と略同一長さの横バーと、該横バーの両端から
直角に折れ曲がる左右一対のアームとからなる平面視略コ字状のホルダを有し、前記各ア
ームの先端に脚部が一体突設されると共に、該各脚部に対向して基板に一対の係合孔が貫
設され、前記各脚部に係合孔の周縁に係合可能な係止片が一体突設されると共に、横バー
に基板の端縁に係合可能な係止片が一体突設されており、ホルダを表示部品の下面に当接
させることにより横バーを各端子の前面に当接させ、そのホルダ及び表示部品を一体的に
動かして各端子を各細溝内に挿入し、各脚部を各係合孔に嵌入させることにより表示部品
をホルダを介して基板上に載置し、ホルダ及び表示部品を基板に沿って一体的に動かして
、各端子を各端子孔に挿入すると共に、各係止片を各係合孔の周縁と基板の端縁とにそれ
ぞれ係合させ、その各端子の先端を基板の配線パターンに半田付けするようにしたことを
特徴としている。
【０００８】
請求項２に記載の発明は、表示部品の下面に一列状に配列した多数の端子を基板の各端
子孔に挿通し、その各端子の先端を基板の配線パターンに半田付けするようにした表示部
品取付装置において、前記基板の端縁に、各端子孔を一体に連通させる凹部が形成され、
前記表示部品の横幅と略同一長さの横バーと、該横バーの両端から直角に折れ曲がる左右
一対のアームとからなる平面視略コ字状のホルダを有し、前記各アームの先端に脚部が一
体突設されると共に、該各脚部に対向して基板に一対の係合孔が貫設され、前記各脚部に
係合孔の周縁に係合可能な係止片が一体突設されると共に、横バーに基板の端縁に係合可
能な係止片が一体突設され、前記横バーの後面に所定間隔をおいて多数の凹溝が形成され
ており、ホルダを表示部品の下面に当接させることにより横バーの各凹溝を各端子に嵌合
させ、そのホルダ及び表示部品を一体的に動かして各端子を凹部内に挿入し、各脚部を各
係合孔に嵌入させることにより表示部品をホルダを介して基板上に載置し、ホルダ及び表
示部品を基板に沿って一体的に動かして、各端子を凹部内の所定位置に位置決めし、各係
止片を各係合孔の周縁と基板の端縁とにそれぞれ係合させ、その各端子の先端を基板の配
線パターンに半田付けするようにしたことを特徴としている。
【０００９】
請求項３に記載の発明は、表示部品を基板上の所定位置に位置決めし、該表示部品の下
面に一列状に配列した多数の端子の先端を基板の配線パターンに半田付けするようにした
表示部品取付装置において、前記基板の端縁に多数の細溝が形成され、前記表示部品の横
幅と略同一長さの横バーと、該横バーの両端から直角に折れ曲がる左右一対のアームとか
らなる平面視略コ字状のホルダを有しており、該ホルダを表示部品の下面に当接させるこ
とにより横バーを各端子の前面に当接させ、そのホルダ及び表示部品を一体的に動かして
各端子を各細溝内に挿入すると共に、ホルダを基板に係止し、その各端子の先端を基板の
配線パターンに半田付けするようにしたことを特徴としている。
【００１０】
請求項４に記載の発明は、表示部品を基板上の所定位置に位置決めし、該表示部品の下
面に一列状に配列した多数の端子の先端を基板の配線パターンに半田付けするようにした
表示部品取付装置において、前記基板の端縁に各端子を挿入するための凹部が形成され、
前記表示部品の横幅と略同一長さの横バーと、該横バーの両端から直角に折れ曲がる左右
一対のアームとからなる平面視略コ字状のホルダを有し、前記横バーの後面に所定間隔を
おいて多数の凹溝が形成されており、ホルダを表示部品の下面に当接させることにより横
バーの各凹溝を各端子に嵌合させ、そのホルダ及び表示部品を一体的に動かして各端子を
凹部内に挿入すると共に、ホルダを基板に係止し、その各端子の先端を基板の配線パター
ンに半田付けするようにしたことを特徴としている。
【００１１】
請求項５に記載の発明は、請求項３または４に記載の発明において、前記各アームの先
端に脚部が一体突設されると共に、該各脚部に対向して基板に一対の係合孔が貫設され、
前記各脚部に係合孔の周縁に係合可能な係止片が一体突設されており、各脚部を各係合孔
に嵌入させることにより表示部品をホルダを介して基板上に載置し、ホルダ及び表示部品
を基板に沿って一体的に動かして、各係止片を各係合孔の周縁に係合させるようにしたこ
とを特徴としている。
【００１２】
請求項６に記載の発明は、請求項５に記載の発明において、前記横バーに基板の端縁に
係合可能な係止片が一体突設されており、各脚部を各係合孔に嵌入させることにより表示
部品をホルダを介して基板上に載置し、ホルダ及び表示部品を基板に沿って一体的に動か
して、各係止片を各係合孔の周縁と基板の端縁とにそれぞれ係合させるようにしたことを
特徴としている。
【発明の効果】
【００１３】
請求項１に記載の発明は第１、第２の実施の形態（図１〜図４参照）に対応するもので
あって、これによれば、ホルダを表示部品の下面に当接させて横バーを各端子の前面に当
接させることにより、細長で曲がりやすい各端子の根元部を横バーで後押しているから、
ホルダ及び表示部品を一体的に動かして各端子を各細溝内に挿入するときに、該各端子が
基板の端縁に接触したとしても、その各端子を曲げることなく各細溝内に確実に挿入する
ことができ、従来のように曲がった端子を指部で細溝内に押し込むという面倒な操作が不
要で、各端子の挿入作業を迅速容易に行うことができる。
【００１４】
また、表示部品を載置したホルダの各係止片付き脚部を基板の各係合孔に嵌入させ、該
ホルダ及び表示部品を基板に沿って一体的に動かすだけで、各脚部の係止片を各係合孔の
周縁に係合させると共に、横バーの係止片を基板の端縁に係合させて、表示部品を基板上
の所定位置に確実に位置決めすることができる。
【００１５】
請求項２に記載の発明は第２及び第３の実施の形態（図４〜図６参照）に対応するもの
であって、これによれば、請求項１に記載の発明とほぼ同じ効果を得ることができ、特に
、ホルダを表示部品の下面に当接させて横バーの各凹溝を各端子に嵌合させることにより
、細長で曲がりやすい各端子の根元部を各凹溝で後押しているから、ホルダ及び表示部品
を一体的に動かして各端子を基板の凹部内に挿入するときに、該各端子が基板の端縁に接
触したとしても、その各端子を曲げることなく凹部内に確実に挿入することができ、従来
のように曲がった端子を指部で凹部内に押し込むという面倒な操作が不要で、各端子の挿
入作業を迅速容易に行うことができる。
【００１６】
請求項３に記載の発明によれば、ホルダを表示部品の下面に当接させて横バーを各端子
の前面に当接させることにより、細長で曲がりやすい各端子の根元部を横バーで後押して
いるから、ホルダ及び表示部品を一体的に動かして各端子を各細溝内に挿入するときに、
該各端子が基板の端縁に接触したとしても、その各端子を曲げることなく各細溝内に確実
に挿入することができ、従来のように曲がった端子を指部で細溝内に押し込むという面倒
な操作が不要となり、各端子の挿入作業を迅速容易に行うことができる。また、ホルダを
基板に係止することより、表示部品を基板上の所定位置に所望の高さで精密且つ迅速に位
置決めすることができる。
【００１７】
請求項４に記載の発明によれば、ホルダを表示部品の下面に当接させて横バーの各凹溝
を各端子に嵌合させることにより、細長で曲がりやすい各端子の根元部を各凹溝で後押し
ているから、ホルダ及び表示部品を一体的に動かして各端子を基板の凹部内に挿入すると
きに、該各端子が基板の端縁に接触したとしても、その各端子を曲げることなく凹部内に
確実に挿入することができ、従来のように曲がった端子を指部で凹部内に押し込むという
面倒な操作が不要で、各端子の挿入作業を迅速容易に行うことができる。また、ホルダを
基板に係止することより、表示部品を基板上の所定位置に所望の高さで精密且つ迅速に位
置決めすることができる。
【００１８】
請求項５に記載の発明によれば、表示部品を載置したホルダの各係止片付き脚部を基板
の各係合孔に嵌入させ、該ホルダ及び表示部品を基板に沿って一体的に動かすだけで、係
止片を各係合孔の周縁に係合させて、表示部品を基板上の所定位置に位置決めすることが
できる。
【００１９】
請求項６に記載の発明によれば、表示部品を載置したホルダの各係止片付き脚部を基板
の各係合孔に嵌入させ、該ホルダ及び表示部品を基板に沿って一体的に動かすだけで、各
脚部の係止片を各係合孔の周縁に係合させると共に、横バーの係止片を基板の端縁に係合
させて、表示部品を基板上の所定位置に一層確実に位置決めすることができる。
【発明を実施するための最良の形態】
【００２０】
図１及び図２は本発明の第１の実施の形態である表示部品取付装置を示すものであって
、基板２の端縁２ａに、各端子孔３に達する多数の細溝７が形成され、表示部品１の横幅
Ｌと略同一長さの横バー９ａと、該横バー９ａの両端から直角に折れ曲がる左右一対のア
ーム９ｂとからなる平面視略コ字状のホルダ９を有し、前記各アーム９ｂの先端に下向き
に直角に折れ曲がる脚部９ｃが一体突設されると共に、該各脚部９ｃに対向して基板２に
一対の係合孔１０が貫設され、前記各脚部９ｃの後面に、係合孔１０の周縁に係合可能な
係止片９ｄが一体突設されている。上記以外の構成で図７及び図８に示す構成と同一部分
に同一符号を付してその説明を省略する。
【００２１】
表示部品１の取付手順を説明すると、図３（ａ）に示すように、ホルダ９を表示部品１
の下面に当接させて横バー９ａを各端子１ａの前面に当接させ、そのホルダ９及び表示部
品１を一体的に動かして、図３（ｂ）に示すように、各端子１ａを各細溝７内に挿入し、
各脚部９ｃを各係合孔１０に嵌入させることにより表示部品１をホルダ９を介して基板２
上に載置し、図３（ｃ）に示すように、ホルダ９及び表示部品１を基板２に沿って一体的
に動かして、各端子１ａを各端子孔３に挿入すると共に、各係止片９ｄを各係合孔１０の
周縁に係合させ、その各端子１ａの先端を基板２の配線パターン４に半田付け５する〔図
１（ｂ）参照〕。
【００２２】
上記構成によれば、ホルダ９を表示部品１の下面に当接させて横バー９ａを各端子１ａ
の前面に当接させることにより〔図３（ａ）参照〕、細長で曲がりやすい各端子１ａの根
元部を横バー９ａで後押しているから、ホルダ９及び表示部品１を一体的に動かして各端
子１ａを各細溝７内に挿入するときに、該各端子１ａが基板２の端縁２ａに接触したとし
ても、その各端子１ａを曲げることなく各細溝７内に確実に挿入することができ、従来の
ように曲がった端子１ａを指部で細溝７内に押し込むという面倒な操作が不要で、各端子
１ａの挿入作業を迅速容易に行うことができる。
【００２３】
また、表示部品１を載置したホルダ９の各係止片９ｄ付き脚部９ｃを基板２の各係合孔
１０に嵌入させ、該ホルダ９及び表示部品１を基板２に沿って一体的に動かすだけで、係
止片９ｄを各係合孔１０の周縁に係合させて、表示部品１を基板２上の所定位置に所望の
高さで精密且つ迅速に位置決めすることができる。
【００２４】
図４は本発明の第２の実施の形態である表示部品取付装置を示すものであって、横バー
９ａの両端に基板２の端縁２ａに係合可能な係止片９ｅが一体突設されている。上記以外
の構成は図１〜図３に示す第１の実施の形態とほぼ同じであるから、同一部分を同一符号
を付してその説明を省略する。
【００２５】
上記構成によれば、表示部品１を載置したホルダ９の各係止片９ｄ付き脚部９ｃを基板
２の各係合孔１０に嵌入させ、該ホルダ９及び表示部品１を基板２に沿って一体的に動か
すだけで、各脚部９ｃの係止片９ｄを各係合孔１０の周縁に係合させると共に、横バー９
ａの係止片９ｅを基板２の端縁２ａに係合させて、表示部品１を基板２上の所定位置に一
層確実に位置決めすることができる。
【００２６】
図５及び図６は本発明の第３の実施の形態である表示部品取付装置を示すものであって
、基板２の端縁２ａに、各端子孔３を一体に連通させて各端子１ａを挿入するための凹部
１２が形成され、横バー９ａの後面に所定間隔をおいて多数の凸部１３を一体突設するこ
とにより、該各凸部１３間に多数の凹溝１４が形成されている。上記以外の構成は図１〜
図３に示す第１の実施の形態とほぼ同じであるから、同一部分を同一符号を付してその説
明を省略する。
【００２７】
上記構成によれば、平面視略コ字状のホルダ９を表示部品１の下面に当接させて横バー
９ａの各凹溝１４を各端子１ａに嵌合させることにより、細長で曲がりやすい各端子１ａ
の根元部を各凹溝１４で後押しているから、ホルダ９及び表示部品１を一体的に動かして
各端子１ａを基板２の凹部１２内に挿入するときに、該各端子１ａが基板２の端縁２ａに
接触したとしても、その各端子１ａを曲げることなく凹部１２内に確実に挿入することが
でき、従来のように曲がった端子１ａを指部で凹部１２内に押し込むような面倒な操作が
不要で、各端子１ａの挿入作業を迅速容易に行うことができる。
【００２８】
図６に仮想線で示すように、第３の実施の形態において、横バー９ａの両端に係止片９
ｅを一体突設してもよく、その作用効果は第２の実施の形態（図４参照）と同じであるか
ら、その説明を省略する。
【産業上の利用可能性】
【００２９】
上記の実施の形態では、蛍光表示管からなる表示部品１を例にあげて説明したが、これ
に限定されるわけではなく、例えば液晶パネルからなる表示部品１にも適用される。
【図面の簡単な説明】
【００３０】
【図１】（ａ）は本発明の第１の実施の形態である表示部品取付装置の斜視図、（ｂ）は横断面図、（ｃ）は同一部切欠き平面図である。
【図２】同分解斜視図である。
【図３】（ａ）〜（ｃ）は同表示部品の取付手順を示す横断面図である。
【図４】（ａ）は本発明の第２の実施の形態を示す要部の斜視図、（ｂ）は横断面図である。
【図５】（ａ）は本発明の第３の実施の形態を示す斜視図、（ｂ）は横断面図、（ｃ）は同一部切欠き平面図である。
【図６】同分解斜視図である。
【図７】（ａ）は従来の一例を示す斜視図、（ｂ）は横断面図である。
【図８】（ａ）は従来の他の例を示す斜視図、（ｂ）は横断面図である。
【符号の説明】
【００３１】
１          表示部品
１ａ        表示部品の端子
２          基板
３          端子孔
４          配線パターン
５          半田付け
７          細溝
９          ホルダ
９ａ        ホルダの横バー
９ｂ        ホルダのアーム
９ｃ        脚部
９ｄ，９ｅ  係止片
１０        係合孔
１２        凹部
１４        凹溝
Ｌ          表示部品の横幅
【図１】
2006303133.tif 000003
【図２】
2006303133.tif 000004
【図３】
2006303133.tif 000005
【図４】
2006303133.tif 000006
【図５】
2006303133.tif 000007
【図６】
2006303133.tif 000008
【図７】
2006303133.tif 000009
【図８】
2006303133.tif 000010